(57)【要約】  受けブロック（４）を有し、クラリネットまたはサキソフォンのような木管楽器のリガチャーであって、リード（１）を、リード（１）の上に押圧力（１４）を印加することによって捩れおよび／または滑りを防止しつつリードの対称軸または長手方向軸（１ｆ）とマウスピースの担持表面の対称軸または長手方向軸とを整列させて、木管楽器のマウスピース（２）に装着するように設計された前記リガチャーにおいて、受けブロック（４）がリード（１）を応力フィッティングの態様、および／または、形状フィッティングをリードの少なくとも一つの側部表面（１ｄ）との間で確立することを特徴とする、前記リガチャー。【代表図面】図１４
2020502594.tif 000002
【特許請求の範囲】
【請求項１】
木管楽器のマウスピースにリード（１）を捻じれ及び／またはズレを防止して締め付けるために、リード（１）にかかる応力（１４）の負荷により、リード（１）の対称軸または長軸（１ｆ）が、マウスピース（２）の表面の対称軸または長軸に合わせられるように形成された受けブロック（４）を有するクラリネットまたはサキソフォンを含む木管楽器用のリガチャーであって、受けブロック（４）が、リード（１）を締め付けて受容するように、および／または、リード（１）の少なくとも一つの側部表面（１ｄ）と形状適合されるように、構成されていることを特徴とする、前記リガチャー。
【請求項２】
マウスピース（２）に装着可能であり、リード（１）および該リードを保持する受けブロック（４）を有し、事前組み立てされた組立構造（７、１９）として使用するために形成され、リード（１）は受けブロック（４）またはリガチャーに対し、応力フィッティングの態様、または、形状フィッティングと応力フィッティングの両方の態様で、受けブロック（４）またはリガチャーのマウスピース（２）上への締め付けの前に、あらかじめ定めたリガチャーに対する相対位置に装着可能である、請求項１に記載のリガチャー。
【請求項３】
特に請求項１または２に記載の、木管楽器のマウスピース（２）に、リード（１）上に押圧力（１４）を加えることによって捩れおよび／または滑りを防止して、リード（１ｆ）の長手方向の対称軸（１ｆ）がマウスピース（２）の担持表面の対称軸または長手方向と整列するように、クラリネットまたはサキソフォンを含む木管楽器の、リード（１）を、マウスピース（２）に締め付けるためのリガチャー用の受けブロック（４）であって、
受けブロック（４）がリード（１）との応力フィッティング接続のための、および／またはリード（１）の少なくとも一つの側部表面（１ｄ）との形状フィッティングを形成するための、機構（６、８）を有することを特徴とする、前記ブロック。
【請求項４】
請求項３に記載の受けブロック（４）であって、リード（１）が挿入される際に変形によって受けブロック（４）がリード（１）の側部表面（１ｄ）に適合するように、受けブロック（４）が永久的に弾性的な変形可能な材料で作成されていることを特徴とする、前記受けブロック。
【請求項５】
請求項３または４に記載の受けブロック（４）であって、受けブロック（４）は、挿入可能なまたは挿入されたリード（１）の側部表面（１ｄ）と応力フィッティングを形成するための、ばね作用を有する弾性材料で形成された少なくとも一つの弓（８）を有することを特徴とする、前記受けブロック。
【請求項６】
請求項１〜５のいずれか一項に記載の受けブロック（４）であって、受けブロック（４）は、リード（１）を完全にまたは部分的に、形状フィッティングの態様で締め付け領域（１ｃ）において包含するために、締め付け領域（１ｃ）においてリード（１）の形状に相補的に設計された、内側担持表面（４ａ、４ｃ）を有することを特徴とする、前記受けブロック。
【請求項７】
請求項６に記載の受けブロック（４）であって、リードの寸法上の許容度を補償する目的で、許容度適応のための機構（７）を有することを特徴とする、前記ブロック。
【請求項８】
請求項７に記載の受けブロック（４）であって、許容度適応のための機構（７）が、受けブロック（４）の限定壁（４ｂ）内に平行的に繰り込まれた少なくとも二つの弾性的ばね弓またはばね性弾性弓（８）を、受けブロックの限定壁（４ｂ）内に含み、それぞれのばね弓（８）は挿入可能または挿入されたリード（１）の二つの側部方面（１ｄ）と応力フィッティングを形成するのに適していることを特徴とする、前記受けブロック。
【請求項９】
請求項１〜８のいずれか一項に記載された受けブロック（４）であって、受けブロック（４）が木管楽器のマウスピース（２）と同一の材料から成ることを特徴とする、前記受けブロック。
【請求項１０】
リードを、クラリネットまたはサキソフォンを含む木管楽器内に保持するリガチャーであって、リガチャーの他の部分がマウスピース（２）と直接の接触を妨げる目的で、マウスピース（２）との間に接触領域（１２ａ）が配置された少なくとも一つのスペーサー（１２）を有するスペーサー装置を特徴とする、前記リガチャー。
【請求項１１】
請求項１０に記載のリガチャーであって、少なくとも一つの線または点の形の接触領域（１２ａ）がスペーサー（１２）とマウスピース（２）との間に形成されるようにするために、一つ以上の陵、凸曲面、または他の突出部または表面陵が形成された一つまたは複数のスペーサー（１２）が形成されていることを特徴とする、前記リガチャー。
【請求項１２】
請求項１０または１１に記載のリガチャーであって、一つまたは複数のスペーサー（１２）は、それぞれ圧力ブロックまたは他の上側部分の少なくとも一つのエッジ、および／または突起部として形成されていることを特徴とする、前記リガチャー。
【請求項１３】
請求項１２に記載のリガチャーであって、上側部（１７）がベアリングアンカー（１７ａ）および接触部分（１７ｂ）を有し、接触部分（１７ｂ）には調節螺子（１８）が付けられており、調節螺子（１８）の外側螺子山がベアリングアンカー（１７ａ）の内側螺子山と噛合し、噛合状態に持ちきたすことができまたは組み合わせ得るものであることを特徴とする、前記リガチャー。
【請求項１４】
請求項１０〜１３のいずれか1項に記載のリガチャーであって、一つまたは複数のスペーサー（１２）またはスペーサー装置が、木管楽器のマウスピース（２）と同一の材料で形成されていることを特徴とする、前記リガチャー。
【請求項１５】
請求項１０〜１３のいずれか1項に記載のリガチャーであって、請求項３〜９のいずれか1項に記載の受けブロック（４）を特徴とする、前記リガチャー。
【請求項１６】
リード（１）を、例えばクラリネットおよびサキソフォンを含む木管楽器のマウスピース（２）に締め付けるための固定ストラップ（２０）であって、固定ストラップ（２０）はマウスピース（２）の周囲に巻き付くために、可逆的に変形可能な、および／または弾性的な材質で形成され、弾性的帯（２１ａ）、金属板帯、またはワイヤ部材として、好ましくは一つの部品として形成され、ここにおいて帯（２１ａ）は、第一の端部（２１ｆ）、中央部（２１ｈ）および第二の端部（２１ｇ）を有しており、帯（２１ａ）は、マウスピース（２）を取り囲む、および／または包含するために、屈曲可能、および／または屈曲しており、少なくとも二つの端部（２１ｆ、２１ｇ）が、少なくとも一つの互いに直接結合するための機構（２１ｂ、２１ｃ）を有することを特徴とする、前記固定ストラップ（２０）。
【請求項１７】
請求項１６に記載の固定ストラップ（２０）であって、帯（２１ａ）の第一の端部（２１ｆ）に結合するための少なくとも一つの機構が、長穴（２１ｂ）、および／または溝、および／または通路、および／または凹部、および／またはノッチであることを特徴とする、前記固定ストラップ。
【請求項１８】
請求項１７に記載の固定ストラップ（２０）であって、帯（２１ａ）の第２の端部（２１ｇ）に結合するための前記少なくとも一つの機構が、ひとつの結合要素（２１ｃ）または相補的な対応ノッチを有し、これらのそれぞれは、長穴（２１ｂ）および／または溝および／または通路および／または凹部および／またはノッチと結合するために、相補的に形成されていることを特徴とする、前記固定ストラップ。
【請求項１９】
請求項１８に記載の固定ストラップ（２０）であって、結合のための機構および／または結合要素（２１ｃ）は、帯（２１あ）の単一の部分として形成されていることを特徴とする、前記固定ストラップ。
【請求項２０】
請求項１７〜１９のいずれか一項に記載の固定ストラップ（２０）であって、長穴（２１ｂ）および／または溝および／または通路および／または凹部は、ガイドとして形成され、結合要素（２１ｃ）がその内部を閉鎖のためおよび／または結合のために移動可能であることを特徴とする、前記固定ストラップ。
【請求項２１】
請求項１６〜２０のいずれか一項に記載の固定ストラップ（２０）であって、平らに巻き戻され、または平らに置かれた状態で、第一（２１ｆ）および／または第二（２１ｇ）の端部が、帯の長手方向軸（２１え）またはその中央部に対して例えば１０度、または５〜４０度の間の角度をなして配置されることを特徴とする、前記固定ストラップ。
【請求項２２】
請求項１８〜２１のいずれか一項に記載の固定ストラップ（２０）であって、所望の楽器のマウスピース（２）上での、固定プロセス（２４）または固定ストラップ(２０)の固定運動のために、結合要素（２１ｃ）を、長穴（２１ｂ）および／または溝および／または通路および／または凹部によって形成されたガイドに沿って摺動または調節するための調節螺子（２２）または他の手動で操作可能な調節要素を特徴とする、前記固定ストラップ。
【請求項２３】
請求項２２に記載の固定ストラップ（２０）であって、調節螺子（２２）が螺子山を含み、該螺子山は第一の螺子山部（２２ａ）および第二の螺子山部（２２ｂ）を有しており、第一（２２ａ）および第二（２２ｂ）螺子山部は互いに反対向きの回転の螺子山を有し、クランプ（２１）は付属ナット（２３ａ、２３ｂ）をその第一及び第二の端部（２１ｆ、２１ｇ）に有しており、第一の端部（２１ｆ）のナットは調節螺子（２２）の第二の螺子山部（２２ｂ）と噛み合っており、および／または第二の端部（２１ｇ）のナットは第一の螺子山部（２２ａ）と噛み合っている、前記固定ストラップ。
【請求項２４】
請求項２２または２３に記載の固定ストラップ（２０）であって、リード（１）をマウスピース（２）に固定する固定プロセス（２４）が、操作中に二つのナット（２３ａ、２３ｂ）の間の距離が大きくなる調節螺子（２２）の操作によって実行されることを特徴とする、前記固定ストラップ。
【請求項２５】
請求項１６〜２４のいずれか一項に記載の固定ストラップ(２０)であって、上側部（１７）および／またはベアリングアンカー（１７ａ）が、固定動作中、押圧可能またはマウスピース（２）の上に押し付けられ得るように構成されることを特徴とする、前記固定ストラップ。
【請求項２６】
リード（１）を、リガチャーを有するそしてそれは好ましくは受けブロック（４）を有する、クラリネットおよびはサキソフォンを含む木管楽器のマウスピース（２）に装着する方法であって、以下のステップを特徴とする、前記方法。
―受けブロック（４）の中にまたはリガチャーの中に、あらかじめ定めた受けブロック（４）またはリガチャーに対する相対的最終位置に、事前組立の構成（７、１９）を形成して、好ましくはリードの側部表面（１ｄ）に対する、応力フィッティング結合が受けブロック（４）またはリガチャーとリード（１）との間で形成されるようにリード（１）を挿入および／または滑入すること。
―事前組立の構成（７、１９）を、マウスピース（２）の上に、リードの先端エッジ（１ａ）がマウスピースの先端エッジ（２ｂ）と面一の配置になるように押し込むこと。
―固定デバイス（５、２０）を操作して、リードの締め付け領域（１ｃ）において、リードの底（１ｅ）をマウスピース（２）の担持表面（２ｄ）に押し付けること。
【請求項２７】
クラリネットおよびサキソフォンを含む木管楽器のための、特に請求項１または２に記載のリガチャーの使用であって、
リガチャーは受けブロック（４）を有し、捩れおよび／または滑りを防止して、リード（１）上に押圧力を印加することによって、リード（１ｆ）の対称軸または長手方向軸（１ｆ）がマウスピース（２）の担持表面の対称軸または長手方向軸と整列するように、リード（１）をマウスピース（２）に締め付けるように設計されたものであり、
リード（１）と該リードを保持する受けブロック（４）とを有していて、リード（１）は、受けブロック（４）またはリガチャーがマウスピース（２）に固定されるより前に、リガチャーに対するあらかじめ定めた相対位置において、応力フィッティングの態様で、または形状フィッティング且つ応力フィッティングの態様で受けブロック（４）またはリガチャーと接合されている、マウスピース（２）に装着可能である事前組み立てされた組立構造（７、１９）としての前記使用。
【発明の詳細な説明】
【技術分野】
【０００１】
本発明は、木管楽器のためのリガチャー、特に、請求項１のプレアンブル部に従った、ねじれおよび／またはスライドを防いで受けブロックを用いた音楽演奏用のリードを木管楽器のマウスピースに固定する、クラリネットまたはサキソフォンのためのリガチャーに関する。本発明はさらに、上に述べたリガチャーの使用に関する。本発明はまたさらに、請求項３のプレアンブル部に従った、受けブロックに関する。またさらに、特に請求項１０のプレアンブル部に従った、スペーサーデバイスを使用するリードの固定のためのリガチャーに関する。これに加えて、本発明は、請求項１６に従った、例えばクラリネットやサキソフォンのような木管楽器のマウスピースにリードを固定するための固定ストラップに関する。本発明はさらに、特に請求項２６のプレアンブル部に従った、リガチャーを有するリードのマウスピース上へ固定方法、およびリガチャーの使用（請求項２７を見よ）に関する。
【背景技術】
【０００２】
リードによって音を発生させる、とりわけクラリネットおよびサキソフォンは、木管楽器と呼ばれる。音を発生するために演奏者はマウスピースに固定されたリードを振動させる。直接的な帰結としてリードは自身の振動を周りの楽器本体に伝送し、楽器本体を共鳴器として使用する。その名前が示すように、殆どのリードは竹の茎、葦、ダンチクから作られる。
【０００３】
従来技術のリードの固定における問題点は、３つの要素、−第一にマウスピース、第二にリード、そして第三に固定装置（これはリガチャーと云う名称でも知られている）−を、たったふたつの手によって、同時に調和状態、すなわち、意図した相対的な位置に、可能な限り迅速かつ正確に持ち来さなければならない、ということに起因していた。リードは、音楽を演奏するために、リガチャーを用いてマウスピースに付着させられる。このようにする際に、マウスピースの担持表面上への、正確な位置決めは、決定的なものである。かくして、楽器が楽曲音を奏でられるように、リードの前エッジはマウスピースの前エッジと、ほぼ同一位置にされなければならない。同時に、マウスピースの上のリードの精度の高い位置、リガチャーのリードに対する位置、そしてリードに対してリガチャーから印加される押圧力は、その楽器の一つ一つの音に大きな影響を与える。それで、音楽家たちは常に再現可能のリード位置によって、個々の再現可能な音を得ることに常に意を用いている。
【０００４】
リガチャーの締め付け具がリードをマウスピースのどこにどのように取り付けているかということもまた、その楽器の固有の音色に関して決定的である。締め付け具とマウスピースとが接触する領域の面積と位置とに加えて、締め付け具の材質もまた重要である。現状の従来技術においては、大多数の締め付け具が、きつく締める、周りを囲んでマウスピースと接触する形式を有している。締め付け具は、しばしば、皮革、ゴム含有材質、織物、または織られた合成樹脂からなる。これらの材質は、マウスピースに対して強力な周波数禁止効果または周波数減衰効果を有している。金属材質の場合、固有振動特性を有しているが、いずれにせよ、マウスピースの固有振動とは一致しないものである。締め付け具が、このとき周波数減衰作用をマウスピースに対して有していると、このことはまず第一にその楽器の応答挙動に対し、特にハイトーンを出そうとするときに、禁止的効果を有する。  この応答挙動は、所望の音が聞こえて来るまでの遅れ時間として理解される。ハイトーンの生成は本質的にロウトーンの生成よりも難しい。音楽演奏の後で、リードはマウスピースから外され部品は別々に保管される。かくして、音楽演奏は頻繁なリードとマウスの組み立て分解の作業を必要とする。例えば子供たちの様な、これを日常的に行うことのない演奏家にとって特にそうであるが、この作業は時間がかかり間違えやすいものである。
【０００５】
これに加えて、リガチャーの態様の如何、例えば、調節螺子の先端がリードに圧迫点を残すかどうか、に依存して、リードは著しい損耗をうける。このことはリードの頻繁な交換を必要とさせる。これに加えて、線状のまたは点状のリガチャーとリードとの圧着が、以前の締め付け過程における圧着位置に戻されてしまうので、リードの再調節がこのためにより困難となる。さらに、音響の質が歪まされるという悪影響も想定しなければならない。簡潔に、再現可能に、損耗の少ない態様で、そして固有の音響が得られて、また当然演奏する音楽家の美的要求にもこたえるようにリードを締め付けるための努力は、リガチャーを最も多様な態様を有するものにしてきた。しばしば、楽器のマウスピースも、形が変化してきた。
【０００６】
さらに、色々な木管楽器（クラリネット、アルトサックス、バリトンサックス、など）のマウスピース製造の分野において、マウスピースの外寸に関して標準は存在しない。それゆえ、新しいリガチャーを開発するうえにおいて、可能な限りの多くの異なった外径のもので使用できる締め付け機構の発見が、典型的な挑戦であった。ほとんどのリガチャー生産者は、彼らの製品を、繊維製品におけるとちょうど同じ様にサイズで、Ｓ（スモール）、Ｍ（メディアム）、Ｌ（ラージ）およびＸＬ（エクストララージ）と、分類している。新しくリガチャーを購入する時には、音楽家たちは正しいサイズを選択するために、自分のマウスピースを持参しなければならない。
【０００７】
リガチャーが締め付け具、すなわち締め付けストラップとして、および／または緊縮ベルトとして、および／または織物ループとして、および／または編み布ループとして設計され、リードをマウスピースに固定するための調節螺子を含む締め付け具の場合、大きすぎるリガチャーは対象物にいかなる安定性も与えることはできず、螺子部分の長さが小さすぎる調節螺子は状況次第でマウスピースを引っかくであろう。
【０００８】
ＥＰ  ０  ８４７  ５７５Ｂ１には、リブつき／波状固定プレートを有するリガチャーが開示されており、これはリブのところのシートをマウスピースの所望の担持表面に押し付ける。この固定プレートは、取り換え可能であるおかげで、いろいろな音色を達成するために固定プレートとして多種の材質のものを使用することができる。
【０００９】
ＵＳ  ２０１４／０３０５２７９Ａ１には、一つまたは二つの回転軸を有する、リードのための圧力プレートを有するリガチャーが開示されており、これにより圧力プレートにおよりリードを押圧する力の配向がマウスピースの円錐の角度に適合する。この場合、圧力プレートはリードの背中側のみを押圧するが、これはリードがマウスピースの担持表面に既に接している場合に限られる。
【００１０】
ＤＥ  ２０  ２０１５  ０００  ３０７Ｕ１には、締め付け手段による締め付け力がリードの上に有効に印加されるためのリグニンウキガヤ（ｖｅｒｈｏｌｚｔｅｍ  Ｓｕｓｓｇｒａｓｓ）で作った受け部材を有する、木管楽器用リガチャーが開示されている。
【００１１】
ＵＳ  ５，０００，０７３Ａには、とりわけ、リガチャーの生産方法が開示されており、それは基本的にプレス加工された金属帯板からなり、リブを有していて、マウスピースの周りに円周方向に延びるものである。リードおよびマウスピースとの接触表面は、最小化されることが意図されている。
【００１２】
ＵＳ  １，５２５，１０５Ａには、マウスピースと強固に結合したリガチャーが開示されている。マウスピースの設計は、金属製でないシェルと、シェルの直径にきつく填まったメタルのブッシュとを、付加部材として有するものである。リードは、マウスピースに対して、金属製の内部ブッシュによって固く接合されることができる。しかしながら、マウスピースに対して固く固定されるが故に、このリガチャーは他のマウスピースに広く使用できるということはない。
【００１３】
ＵＳ  ２００４／０１７７７４３Ａ１は、リガチャーとリードとの間の接触を減らそうとするものである。そのために、とりわけ、複数のエッジと突起とを有する多種類の圧力プレートが使用されている。
【００１４】
ＵＳ  ２００９／１０２１７７９８Ａ１には、柔軟で伸縮性のストラップ材料のリガチャーが記述されており、リードに与える圧力を最小化するとともに、音響発生時に生じ、マウスピースに伝わりそして楽器全体に伝わる振動を減衰させるために、リガチャーは長手方向に大きい表面においてリードと接触している。特にこのリガチャーは、重量削減をも意図している。
【００１５】
ＵＳ  １，８０１，４２１Ａ１に開示されたリガチャーは、頻繁に用いられる標準的なリガチャーである。標準化されていない、絶え間なく市場に供給される多種の寸法（直径の相違）のマウスピースの所為で、この態様は限定的な程度でしか利用され得ない。上述のごとく、それを解消するために多種のサイズが提供されてきた。しかしながら、柔軟な使用は限定的である。
【００１６】
ＤＥ  １００  １５  １０８Ａ１において、新規なリガチャーがマウスピースと一体化されている。互いに強固に固定されていない複数の金属部材は、固有振動数に達するやいなや共振状態（音響発生）の間は「カタカタ」しがちである。マウスピースの先端に始まって、リードは締め付け板バネの抵抗に抗して押し付けられる。欠点は、滑らせる力がリードの最も敏感な部分−すなわちリードの先端部−だけに印:働くという点である。
【００１７】
ＵＳ  ２０１２／００８５２１８Ａ１には、音質を向上させるためにエボナイト製としたリガチャーが開示されており、これはテーパーをつけた中空の円筒であり締め付けリムに囲まれている。
【００１８】
調節螺子を有する締め付け具が異なった寸法のマウスピースに対しても適合することを確実にするために、マウスピースと調節螺子との距離を最小化することを確実にする追加的な調節螺子を有するリガチャーが、従来技術において知られていた。これの欠点は、リードを締め付ける組み立て手順が、熟練の音楽家向きであることである。
【００１９】
従来技術において知られている、さらなるものは、テンションワイヤ、テンション紐またはテンションコードであり、これによってリードはマウスピースに、疑似「強固に取り付け」られる。原理としては古くからある紐結び型の靴にたとえられるものであり、紐／帯で締められるものである。このワイヤ、紐、またはコードは、リードに均等な力を印加し広い締め付け面積をカバーすることができる。ただ、欠点はこのような装着装置は形状が安定していないことであり、リードの取り付け方法としてやはり子供や初心者には適していないことである。
【００２０】
従来技術のリガチャーが有する欠点は、使用する固定プレートまたは圧力プレートが、リードの縦方向形状合わせ案内または応力合わせ案内をしないことである。リブも圧力印加点をリードのマウスピース側と反対側に生じさせ、このことはマウスピース上のリードを、あとになってずらすことを非常に困難にする。これに加えて、小さな部品を分解組み立てするので、固定プレートまたは圧力プレートの交換は、面倒なものであり、かつ経験の浅い音楽家にとって失敗を誘発しがちなものである。
【発明の概要】
【発明が解決しようとする課題】
【００２１】
本発明の目的は、従来技術における木管楽器のリガチャーを改良し、リガチャーを用いて、簡単かつ再現可能に複数の異なったサイズのリードも装着可能であり、または、複数の異なったサイズのマウスピースにでも装着可能である、装置及び方法を提供することである。この目的を達成するために、請求項１および１０のリガチャー、請求項３の受けブロック、請求項１６の締め付けストラップ、請求項２６の方法、および請求項２７の本リガチャーの使用、が提案される。任意選択的に、独立請求項の発明ならびにそれぞれの請求項の構成要件および／またはその組み合わせによる有利な実施例が以下の明細書に開示される。以下の説明において別々に記述される特徴や構成は、音楽家にとって実用的ないかなる態様によっても、互いに組み合わせることができ、さらなる実施態様を示すものである。以下の説明は図面とともに、本発明をさらに特徴付け、特定するものである。
【課題を解決するための手段】
【００２２】
本発明は、特に、クラリネットやサキソフォンのような木管楽器用のリガチャーである。  本リガチャーは、音楽を演奏するときに、リードに対して印加する所謂プレスオンフォースと呼ばれる押圧力を発生してリードを木管楽器のマウスピースに固定する、受けブロックを有している。これを行う際に、リードは、リードの長手方向対称中心線が、マウスピースのリード支持表面の長手方向対称中心線と一致し、リードの先端エッジがマウスピースの先端エッジとほぼ同位置になるように揃うという、ねじれおよび／または滑りが起きていない状態で固定される。受けブロックは、リードを圧力が適切となる態様、および／またはリードの少なくとも一つの側の面において形状の一致が達成されているようにすることによって、このことを達成している。
【００２３】
本発明の受けブロックは、リガチャーと整列し、リガチャーに接続されるものである。  リードの締め付け過程において、リードは受けブロックに受容され、受けブロックによってその位置に強固に保持される。その次のステップで、受けブロックおよびリードを含んでリガチャーは、ユニットとしてマウスピースに押し付けられる。最後に、このユニットは、リードの先端エッジがマウスピースの先端エッジと、ある距離をもって隣接するように、対称軸または長手方向軸に沿って押される必要があるだけである。本発明による新規な受けブロックの、任意選択的な従来のリガチャーとのただ一つのつながりは、役に立ち、確実であり、操作が素早くできるということであり、また未熟な音楽演奏家や子供にとっても操作が簡単である、ということを結果する
【００２４】
更なる有利な実施態様においては、本リガチャーはあらかじめ組み立てた構成（特に図６ａ、６ｂ、６ｃを参照）、および／または、あらかじめ組み立てて使用すること、ここにおいて、あらかじめ組み立てた構成というのは、リードの付いたリガチャーをマウスピースに押し当てるより以前に、応力をフィットさせた、および／または形状をフィットさせたリードとリードを保持する受けブロックとを接合させることであるが、とすることへの適性を有している。この、事前組み立てという構成においては、マウスピースに対してリガチャーを接合してリードが最終位置に来るようにする前に、リードが受けブロックまたはリガチャーシステムにおけるリガチャーに対して、位置決めおよび／またはリガチャーへの応力をフィットさせておよび／または形状の一致をさせてリガチャーと接合させる。応力フィットさせる接合でも形状をフィットさせる接合でもどちらも、受けブロックの水平限定壁から始めることができる。限定壁の内側表面のどちらも、リードの円錐状の曲がりに対応しており、および／または限定壁はリードの横表面に対して圧力を印加する機構を有している。リードはそれで、もはやリガチャーから自ら脱落することはできなくなり、音楽家が両方の手をマウスピースを押し、固定作業をおこなうために、たとえばネジを調節するために、使用できるようになる。事前組立が任意選択的におこなえることは、それがリードをマウスピース上に、謂わば、位置に着かせ、それゆえ位置決め操作はすでに実行されている、という計り知れない利点をユーザーにもたらす。
【００２５】
リガチャーのための締め付け装置は、例えば皮革またはプラスチック製のベルトまたはストラップとして、または、例えば金属またはプラスチック製の弾性を有する／不変の柔軟性を有するストラップとして構成されてもよい。リードを固定するのに必要な締め付け力は、ベルトまたはストラップの両端を互いに連結する、通常はマウスピースのリードがある側と反対の側に位置する調節螺子によりもたらされる。この調節螺子の締め付け力は、受けブロックに対して押し付ける力を発生させ、これはすなわちマウスピースの支持面上にリードを押し付けることになる。受けブロックと、受けブロックとベルトまたはストラップとを固定する器具とに対するリードの、応力フィットした及び／または形状フィットした接合を伴って、リードは、リードの対称軸または長手方向軸がマウスピースの支持表面の対称軸線と一致するように、また、リードの先端エッジがマウスピースの前端エッジとほぼ同位置になるように揃うという締め付けられた状態を維持され、音楽演奏中にねじれたりずれたりすることが防止される。
【００２６】
独立請求項では前記リガチャーの受けブロックに関するものであり、リードとの応力フィットがなされ、および／または、リードの少なくとも一つの表面に形状フィットされた接合メカニズムを有している。
【００２７】
応力フィットされた受容または接合が、有利なさらなる実施例において、開示され、受けブロックは可逆的に柔軟性の要素を有する、および／または、不変の柔軟性を有する変形可能な材料でできており、その材料および／または対応する要素は、リードを挿入するときに変形することによって、直接的または間接的にリードの側部表面と適合する。間接的な適合というものは、受けブロックとリードの側部表面との接触面が硬い材質で形成され、常に弾性的な材質はリードの側面に面さずまたは距離を置いており、限定壁においてリードの側部表面との直接接触が無いことであると理解される。受けブロックの少なくとも一部の好適な弾性特性を伴って、受けブロックの内側表面は、湾曲した担持表面の対称軸に平行に伸びていてもよい。リードを受けブロック内に挿入するに際して、限定壁は、互いに傾斜しているリードの側部表面に対応して変形する。
【００２８】
さらに有利なさらなる実施例において、本リガチャーは、例えば金属製またはプラスチック製の少なくとも一つのスプリング弓又は他のタイプの弾性弓を有する事前組み立て式の構成について有用性を発揮する。このスプリング弓はばね性のある、たとえば巻かれた、平たい材質の、たとえばばね鋼、真鍮またはプラスチックの弾性体で形成される。自動車の構造における半楕円リーフスプリングに似て、弾性スプリングは中央の支持ポイントにおいて、回動可能に装架される。受けブロックにリードを挿入するときに、弾性スプリングの両端が、リードの横表面との接触点となる（図６ｂ参照）。このときに、スプリングは撓み、スプリングの曲率が減少する。これにより、弓が、応力印加による嵌め込みを弓がこれら接触点において、挿入されたリードの横表面に対しておこなう。
【００２９】
これに対する代替的な実施例においては、スプリング弓またはほかのタイプの弾性的に柔軟な弓が、受けブロックの二つの限定壁の一つに組み込まれており、対応する限定壁の内側側壁は離される。スプリング弓は、特に弓の曲率および同時に生じる二つの接触が、挿入されるリードの横表面に対して押圧力を作用させることで応力フィッティングを行うのに適している（図６ａ参照）。離されていない限定壁は、リードの締め付け領域と相補的な形状に設計されており、このことは追加的におよび／またはこれに代わってリードの形状フィッティングを行うことの役に立つ。このような事前組み立て構成によって、リードとリガチャーとの間の応力フィッティングおよび形状フィッティングが同時に適用可能となり、滑りおよび／またはズレのない、マウスピースへのリードの装着に大きく寄与することになる。
【００３０】
好ましくは、リードの湾曲した表面が、受けブロックの締め付け領域に沿った内側担持表面、この担持表面はリードの表面と形状フィッティングした、組み合わせの湾曲カウンターパートとして形成されるものであるが、の上に定着する。この担持表面は、リードの湾曲締め付け表面領域の長さ全体に亘って、または、部分的に、伸びている。これはまた、リードにおいていかなる圧力点も発生させることがない。形状フィッティングをおこなう案内用の、任意選択的に採用する限定壁が、受けブロックの内側湾曲担持表面の水平エッジのところに設けられてもよい。これらの壁の内側横表面は、形状フィッティングしており、および／またはテーパー状の横表面と相補的になっており、そしてリードの締め付け領域又はその一部において定着するように形成され配置される。形状フィッティングした収容は、受けブロックがリードを形状フィッティングする方式で部分的に収容することによって実現する。
【００３１】
通常の市販品であるリードは、ある程度の寸法許容誤差および／または製造許容誤差を与えられている。そこで、形状フィッティングのみをおこなう、厳格に形成された受けブロックに対しては、個々の寸法において、大きすぎる、または、小さすぎる、かもしれない。しかし、形状フィッティングによる収容においては、どのような通常の市販品のリードでも所望の位置で使用できるようにするために、製造許容誤差を補償して許容度に適応するような組み合わされた機構を有する実施例が存在する。受けブロックの外側表面及び内側表面に、互いに平行であり、同時に、受けブロックの湾曲した内側担持表面の軸に対して、軸対称的にペアになって、受けブロックの全長に亘って伸びる溝および／またはでっぱりを設けることによって、受けブロックは屈曲した断面を得る。これによって、受けブロックは、それ自身でばね効果を有することとなり、限定壁の内側横表面が所謂屈曲ばねの脚としての作用をなし、たとえ寸法許容誤差を有するリードであっても形状フィッティングをおこなってリードの側部表面に定着する。
【００３２】
受けブロックのばね効果が、木質またはプラスチックによって発揮されようとする場合、弾性ばね弓が限定壁に組み込まれる。これは好ましくは受けブロックの湾曲した内側担持表面の軸に対して、軸対称的にペアになって伸びるものである。受けブロックにリードを挿入する際に、これらのばね弓は弾性的にそして好ましくは波状に屈曲し、リードの許容誤差に関わりなく、点状の支持を与える。この場合、ばね弓は０．１ｍｍから１ｍｍ以上までの間の厚みを有しているが、厚みはまた、弓の材質に何を選ぶかにも依存する。そのため、弓は金属またはばね性のある弾性プラスチックからなるものとしてよい。この場合もまた、ばね弓の変形はリードを取り外した際には完全に復元可能である。
【００３３】
望ましい音色の要求に依存して、受けブロックは木材から成るものでも、硬質プラスチック、熱可塑性プラスチックまたは金属製でもよい。とりわけ、受けブロックは、マウスピース、または、楽器の共振空洞と同一の材質から製造されてもよい。好適な実施例においては、受けブロックは、クラリネット用に製造され、従って、クラリネットの作成においての習慣であるグレナディラ材で製作される。マウスピースとの材質同一性を確立するために受けブロックはエボナイト、すなわち天然ゴムで製造されてよい。限定壁の内側表面が、互いにテーパー状に伸びる場合は、受けブロックは、少なくともある部分においては、永久的に弾力のある変形可能な材質でなければならない。このための好ましい材質は、ポリウレタンまたは硬質ゴムである。
【００３４】
マウスピースに対するリードの簡潔で失敗なしの装填に加えて、リガチャー内の受けブロックの迅速な取り替えもまた、適切な締め付け装置の選択によって保証され、これにより、関連する演奏者は快適に多数の受けブロックの構造例や材料例を試すことができる。  とりわけ、受けブロックの工具を必要としない交換、すなわち、螺子回しの類を使用することなしに交換できることが目標である。このために、適切には、少なくとも一つの凹部（例えば開口またはポケット）が設けられ、ピン状の小さい部品（例えば螺子、リベット、ボルトまたは釘）を用いたリガチャーの留め具によって定位置に固定される。
【００３５】
請求項１０のとおりの、スペーサー装置を有するリガチャーについて独立請求項としての保護が求められる。スペーサー装置の使命は、締め付け具の要素（例えば、皮革ベルト、金属帯、または調整螺子のような）が、マウスピースに直接接触することを防止することであり、これにより、望ましからざるリガチャーの要素がマウスピースの音響発生を妨害することを防止し、周波数禁制的で周波数減衰的な、マウスピースに対する全ての影響を抑制するか、または極小に抑えこむ。少なくとも一つのスペーサーの、適切な選択、特に適切な材料および／または適切な設計によって、狙った影響を楽器の音響特性、そしてとりわけ高音における応答に対して与えることができる。
【００３６】
好適な実施例において、一つまたは複数のスペーサーは、木製または金属製である。このことは第一義的に、音響発生に影響する、たとえば、緊張ベルトに、減衰がなく、共振もない材質ということである。これをおこなうために、一つまたは複数のスペーサーは、好ましくはマウスピースと同一の材質（例えばエボナイト）または楽器の共振空洞と同一の材質（グレナディラ材）である。このようにして、異なった材質が動作部材と接触すること、また、楽器の共振空洞と接触することなしにリガチャーが適用される一つの実施例を実現する。このことは、いわゆる純粋楽器を実現する可能性に導く。
【００３７】
本発明の非常に単純な実施例においては、スペーサーとマウスピースとの間の線状接触領域を形成するように、スペーサーが棒状の約１ｃｍの長さの部品とされる。このような棒は、例えば緊張ベルトとマウスピースとの間に容易に挿入されて緊張ベルトとマウスピースとの間の接触がおきないようにする。スペーサーとリードとのみがこれによりマウスピースと接触する。たとえば、円筒形のまたはプリズム形がスペーサーの断面形状となっており、これはスペーサーの全長に亘る内に変化することもできる。スペーサーは、中実の材質でも中空でもよい。線状の形の接触領域に代替して、点状の接触領域も、スペーサーとマウスピースとの間に形成されることができる。線状と点状の接触領域の組み合わせもまた考えられる。さらに、スペーサーには追加のエッジ、凸状曲率または他の突出部または表面陵を有してもよい。
【００３８】
本発明の、任意選択的な更なる実施態様において、棒と締め付け具との間の接触が固定化されているものも考えられる。このように、リードと向かい合うマウスピースの側において線状または点状のみで接触するスペーサーもまた、保持部または複数の保持部におけるエッジ、曲線、突出部または他の表面陵として形成されてもよい。このように、保持部は、例えば受けブロックの相方として、圧力ブロックの上側部分という形で、マウスピースの上側に、形作られてもよい。本発明の受けブロックの代わりに、いかなる固定具も、リードのためにスペーサー装置に加えて使用することができる。
【００３９】
スペーサー装置付きの本願発明のリガチャーの部分としての受けブロックの使用についていえば、この受けブロックは第一義的に今まで述べたおよびこれから述べるリガチャーの実施例のいずれにも使用できる。
【００４０】
上側部分は、固定手段として調節螺子を任意選択的に有していてもよく、これはマウスピースへの取り付けのために必要な力をリガチャーに対して供給する。さらに、上側部分の一部として、接触部品が調節螺子の頂部に設けられてもよい。調節螺子の、外側螺子山の相方としての内側螺子山がベアリングアンカー内に設けられる。螺子が締められると、接触部が線状形の接触領域を形成してマウスピースを押し付ける。このようにすることによって、圧力が形成され、圧力はリガチャーシステム全体に伝達される。しかしながら、他の自明な複数の方法も当業者であれば想起するであろう。装置の特に迅速な装填のためには、例えばカムレバーが適切であろう。
【００４１】
本発明の、任意選択的な更なる実施例においては、上側部をマウスピースの反対側にある受けブロックまたはもう一つの固定具（例えば圧力プレート）に接続するための緊縮ベルトの代わりに、固いアンカーを使用することができる。これらのアンカーは、上側部のベアリングアンカーに強固に装着できる。固定具およびスペーサーはこのようにして臨むだけの小ささにすることができる。これらのアンカーは、二つの要素が接触することなしに互いに連結されるように湾曲しており、固定手段の力は対応してリードに伝わる。上側部とスペーサーとが一体化した設計においてはとりわけ、好適な実施例において、ベアリングアンカーと接触部とが、マウスピースにリガチャーを設置する際にマウスピースの円錐状鏡面の形状にほぼ適応するように形成されている。連結具は固定具と上側部とに固接手段の助けを借りて連結されている。視覚的理由からも、楽器の個々の鍵に使用されているような特別の固接手段が適している。同時に、これによって、楽器においては適さないような材質の使用が、本発明においては減少される。アンカー自体は、アルミニウムまたは洋銀で作成されてもよい。
【００４２】
受けブロックのさらなる利点は、リガチャーがどんな押圧力をリードの上に掛けられるか、そしてマウスピースを押し付ける力に対して作用することができるかについての理解から判明する。リガチャーの対応する押圧力は、緊縮ベルトまたはアンカーの曲がりに沿った方向に伝わる。そして、その力は力の水平成分と垂直成分に分けることができる。押し付ける力は、垂直方向の力成分から生じるのに対し、水平方向の力成分は、何の効果も発生させない。このように、垂直力成分が可能な限り強いリガチャーが望ましい。固定具および／または受けブロックの如何により、とりわけ、その幾何学的な外形の如何により、ベルトがマウスピースに巻き付く形またはアンカーが固定具に連結する態様が、影響を受けうる。固定具の外形が大きくなればなるほど、リードの横表面領域におけるベルトまたはアンカーは、より急峻／より垂直に近くなる。連結具がリードに及ぼす力の垂直成分は、これにより強化される。理想的な場合においては、固定具および／または受けブロックは、連結具がリードの横表面の中心に対して垂直に案内され、連結具はそれゆえリードの上に垂直力のみを印加するに十分なだけ幅広い。ベルトまたはアンカーの達成し得る押圧力は、これにより最大化される。
【００４３】
独立請求項による発明の保護が、請求項１６に記載された装置、すなわち、クラリネットやサキソフォンのような木管楽器のマウスピースにリードを固定装着する締め付けストラップであって、締め付けストラップが可逆的に変形可能および／または伸縮性の材質により形成されるものが、請求されている。この締め付けストラップを実現するまたは製造するために、例えば、ばね作用真鍮薄板、ばね作用鋼薄板、または適切なプラスチックを使用することができる。いかなる材質も、ある張力のもので変形するが、その後変形の残存なしに最初の状態に弾性的に復帰するものであれば、使用可能である。さらに、締め付けストラップは、長く伸びた形態にされた弾性的な帯、金属板帯、またはワイヤ部材、またはマウスピースの周りに曲がって巻き付くように形成されたクランプによって特徴づけられる。この帯はバネ効果強化圧延真鍮シートおよび／またはバネ鋼帯および／またはプラスチック製である。そのような帯は、典型的には板バネに使用される。締め付けストラップは、マウスピース上に在って外から見える部材であるため、外見上の理由で銀メッキされてもよい。さらに、締め付けストラップは第一の端部、中間部および第二の端部を有する帯であって、金属板帯は曲がることが可能でありおよび／または巻き付くために曲がり得るものでありおよび／またはマウスピースを包含するものであり、二つの端部はまたは少なくとも端の二つの一部分は互いに結合する機構を有する。金属板帯はほぼ円形をなす表面を形作り、マウスピースを包含する状態でマウスピースの長手軸に対して基本的に直角に配置している。連結具は典型的には同時に固定機構でもあり、金属板はマウスピースを包含した状態での形状を維持する。間接的な結合の場合、追加的な中間部材またはアダプターがクランプの端部の間に使用され得る。
【００４４】
本発明の、さらなる好適な実施態様においては、クランプは帯の第一端部と連結するための、長穴および／または溝および／または通路および／または凹みおよび／または凸部として形成された機構を有する。長穴は、例えばプレス加工または圧延加工で形成することができる。
【００４５】
任意選択的に、帯板の第二の端部と連結するための機構が、長穴および／または溝および／または通路および／または凹みおよび／または凸部に連結する連結要素または相補的対応ノッチとして形成される。帯の端部を同じ位置に保持するという固定効果は、長穴内の連結要素によって奏される。
【００４６】
好適な実施例においては、連結および／または結合要素は帯板と共に単一部材として形成される。そこで、帯板、長穴および連結要素を有する弓は、例えば板材料から打ち出された部品として作られる。
【００４７】
本発明のさらなる任意選択的な態様として、固定ストラップは、ガイドとして形成された長穴および／または溝および／または通路および／または凹みおよび／または凸部を含む。連結要素は、固定のためおよび／または連結のために、このガイドに沿って可動または調節可能のままにされる。固定ストラップを包含し得る直径は、連結要素の相対的位置に応じて、このガイドまたは長穴の中に位置する。連結要素がガイドに沿って帯の地中幹部に移動すると、帯によってまたはクランプによって囲まれる領域の直径はより小さくなる。固定ストラップに適切なマウスピースが挿入されると、クランプに接続したリードがマウスピース上に、例えば本発明による受けブロックにより、押し付けられる固定過程が実施され得る。この機構によって、リードは、異なった寸法のマウスピースに固定されおよび／または装着されることができる。このようにして、比較的大きな固定領域をカバーすることができる。
【００４８】
マウスピースの円錐形の曲面に適応するために、本発明の好適な実施例において、固定ストラップはクランプを有しており、第一のおよび／または第二の点部は延長された脚の形をしている。丸められていない、平らな状態に置かれたものを考えた場合、これらの脚は水平軸または帯の長手方向軸またはその中央部分に対して、例えば約１０°または５~４０°の角度をなしており、この角度はマウスピースの円錐の度合いに応じて変化してもよい。この帯のほぼ水平な軸または長手方向軸は、基本的に基部に平行に伸びており、マウスピースの長手方向軸にほぼ直角である。本発明の、任意選択的な更なる実施態様においては、固定ストラップの中央部は固定具を装着するための、例えばマウスピース上のリードのための受けブロックまたは他の圧力プレートといった緩衝手段を有している。これらの緩衝手段は、例えば金属板に開けられた複数の穴として形成されてもよい。固定具はこれらの穴に、例えば螺子または固定ピンといった適切な固定手段によって装着することができる。
【００４９】
本発明の好適な実施態様においては、固定ストラップは、リードをマウスピースに装着する過程において、結合要素をガイド、このガイドは長穴および／または溝および／または通路および／または凹みおよび／または凸部によって形成されているが、に沿ってずらしたり調節したりするための、調節螺子または他の手動により操作できる調節要素を装備している。調節螺子の操作によって、固定ストラップの、楽器の所望の場所への締め付け過程または締め付け動作が行われる。帯および／または固定ストラップが取り囲む直径は、これにより、最終的にリードの締め付け力として所望の物が達成されるまで、広げられまたは狭められる。
【００５０】
本発明の、任意選択的な、さらなる実施態様において、固定ストラップの調節螺子は、第一の螺子山部と第二の螺子山部とを有する螺子山を有する。この際に、第一の螺子山部と第二の螺子山部とは互いに逆螺子となる螺子回転方向の螺子山を有している。第一の部分は、調節螺子のつまみに近い側であるが、例えば右螺子を有して良い。この場合、第二の部分は調節螺子のつまみから遠い側であるが、左螺子を有する。調節螺子のつまみは、二つの部分の中間部に、調節輪として設けてもよい。さらに、クランプの調節螺子との連結は内部螺子山を有するナットを、クランプの第一の端部にまたは第一の端部の領域に装着して実現される。ナットはクランプに溶接、接着、リベットどめ、および／または圧着によって連結される。固定ストラップの有利な実施例においては、第一の端部のナットは、調節螺子の第二の螺子山部と相補的に形成され、および／または、第にの端部のナットは調節螺子の第一の螺子山部と相補的に形成され、即ちそれらは互いに噛み合う。例えば、第一の螺子山具が左螺子を有している場合、クランプの第二の端部のナットは相補的な態様で形成されており、右螺子山と噛み合うようになっている。
【００５１】
本発明の固定ストラップの、任意選択的な更なる実施態様は、リードをマウスピースに装着する装着過程が、調節螺子の第一の方向への回転操作によって実行されることができ、そうすることによって、螺子山部の反対の方向の回転により二つのナットの間の距離が大きくなる。ナットの移動は、マウスピースの対称面に対してほぼ対称的に生じ、このことにより力の対称的な印加が行われる。
【００５２】
本発明の代替的なさらなる実施態様においては、前に述べた上側部分および／または圧力ブロックおよび／または前に述べたベアリングアンカーおよび／または前に述べた接触部分が提供され、締め付け動作中にマウスピースの表面に対して押し付けることができる。  一方において、このことは調節螺子の螺子山および／または金属帯によってマウスピースが引っ掻かれることを防止する。他方において、固定ストラップとマウスピースとの間の接触表面の材質は、これにより選択可能となる。
【００５３】
さらに別の態様における固定ストラップは、少なくとも二つの、例えば金属またはプラスチック製の弾性的なバネ弓を有する受けブロックを有する。こうする際に、バネ弓は、受けブロックの二つの限定壁の一つに組み入れられるかまたは、柔軟バネとして形成された限定壁の前側に設けられて回転可能に形成される。このことは、両方の側のリード側部表面への圧縮力の作用が好ましくはバネ弓とリードとの間の、特に事前組立した態様においては受けブロックとリードとの間の、４つの接触点においてなされる結果、対称的であってそれ故に特に安定的な応力フィッティングを実現する。一方において受けブロックの限定壁の円錐性を通じて、また他方において許容度補償的な限定壁のまたは限定壁の前に位置する板バネを通じて、この構成によって、形状フィッティングも追加的に実現されることができる。
【００５４】
好適な実施態様において、それぞれのマウスピースのためのリガチャーは適切なものであり、マウスピースに対する修正は実行されるべきでない。本発明のさらなる実施例において、本発明のリガチャーの個々の構成は、マウスピースに対して適宜統合して適用してよい。本件において提示されたリガチャーは、クラリネットやサキソフォンといった楽器にのみ限定されるものではなく、むしろ、自明な技術的に応用よって、リードを有する複数の木管楽器に対して適用可能である。マウスピースを修正する必要がないという事実によって、既存の楽器／マウスピースに対しての後付けが、簡潔化される。
【００５５】
リードをクラリネットやサキソフォンなどの木管楽器に装着する方法が、本発明の独立した保護として、さらに請求されている。この方法は、以下の工程に分説される。
―底面を外部に露出して、任意選択的に既存のマークの位置に、受けブロックの中にまたはリガチャーの中に、あらかじめ定めた受けブロックに対する相対的位置に、事前組立の構成を形成して、限定壁の内側表面が形状フィッティングの状態でリードの側部表面を取り囲み、および／またはリードの側部表面に対するあらかじめ定めた応力フィッティング結合が受けブロックまたはリガチャーとリードとの間で形成されるまで、リードを挿入および／または滑入すること。
―この事前組立された組み立て体を、マウスピースの中にリードの先端エッジがマウスピースの先端エッジと面一の配置になるように押し込むこと。形状フィッティングおよび／またはとりわけ応力をリードの側部表面に向ける応力フィッティングの故に、リードは受けブロックおよび／またはリガチャーに対して相対的に意図した位置に留まる。リードはもはや容易にはリガチャーから脱落することができず、音楽家はリードを片手でリガチャーおよび／またはマウスピースにおける意図した位置に保持させられることはない。
【図面の簡単な説明】
【００５６】
本発明のさらなる詳細、構成要件、構成要件の組み合わせ、効果および利点が以下の発明の詳細な説明および図面から理解される。それらは以下に記述される。
【図１】図１は市場にある従来のリードの見取り図を示す。
【図２】図２は、市場にある従来のリガチャー、リードおよびマウスピースの組み立て体の見取り図を示す。
【図３】図３は、リードに形状フィッティングの状態で適合する木製の受けブロックの、見取り図を示す。
【図４】図４は、マウスピースを取り囲むベルトおよび調節螺子を有する締め付け具の、見取り図を示す。
【図５】図５は、屈曲ばねを装着した受けブロックの断面図を示す。
【図６ａ】図６ａは、事前組立された  リードの側部表面上に応力フィッティングする平行に組み込まれたバネ弓を有する受けブロックの組み立て体の見取り図を示す。
【図６ｂ】図６ｂは、事前組立された、リードの側部表面上に応力フィッティングする平行に接合するバネ弓を有する受けブロックの組み立て体の見取り図を示す。
【図７】図７は、緊縮ベルトを固定するための固定螺子を有する受けブロックの見取り図を示す。
【図８】図８は、事前組立された、ベルト、調節螺子および固定螺子を有する受けブロックからなる組み立て体の見取り図を示す。
【図９】図９は、スペーサー付きのリガチャーでできた組み立て体の見取り図を示す。
【図１０】図１０は、組み立て後にリード上に固定具を有するスペーサー装置を有する組み立て体の断面図を示す。
【図１１】図１１は、図１０の実施例の側面図を示す。
【図１２】図１２は、受けブロックがリードに接するスペーサー装置を有する構成の、組み立て後の断面図を示す。
【図１３】図１３は、図１２の実施例の側面図を示す。
【図１４】図１４は、上側部分、受けブロックアンカーおよびリードを含む事前組立した組み立て体の見取り図を示す。
【図１５】図１５は、組み立て体の前面見取り図を示す。
【図１６】図１６は、組み立て体の粗悪麺見取り図を示す。
【図１７】図１７は、拡大された受けブロックにリードに対して作用する応力の方向を表示した組み立て体の断面図を示す。
【図１８】図１８は、クランプの帯板を広げた状態の上面図を示す。
【図１９】図１９は、クランプの帯板の見取り図による表現を示す。
【図２０】図２０は、固定ストラップの見取り図による表現を示す。
【図２１】図２１は、固定ストラップの断面図による表現を示す。
【図２２】図２２は、ベアリングアンカーと受けブロックとを有する固定ストラップの見取り図による表現を示す。
【００５７】
図１は、ありきたりな、通常対称形でリードのおよび／または木管楽器の対称軸または長手方向軸１ｆを有するリードを示す。先端エッジ１ａは振動領域１ｂの振動するエッジである。振動領域１ｂと比較して厚みが増やされている締め付け領域１ｃにおいて、リードはリガチャー内に固定され、従来技術の締め付け具は多かれ少なかれ大きな表面積での押圧力を、リードの横断方向に湾曲した表面に対して印加する。リードは振動領域１ｂにおいて音響を発生させるために振動しなければならないので、そこは非常に薄い厚みを有しており、二つの平行な限定壁１ｃが形成されている。締め付け領域１ｃにおいて、平行限定表面１ｄは、リード１が後部に行くにしたがって狭くなるように、互いにテーパーをなして伸びている。図には表示されていない、完全に平らに形成された底面１ｅ（図６ａ、６ｂを参照）が、組み立てた後のマウスピース２の担持表面との接合面を形成する（図２を参照）。
【００５８】
図２は、大半の、リード１を有する木管楽器において音楽演奏のために使用されている、組み立てたマウスピース２の標準的な設計を示している。マウスピース２は楽器の音響生成空間につながる接続部２ａと、音楽家によって空気が吹き込まれる先端エッジ２ｂとを有する。その際、先端エッジ２ｂはリード１ａの先端エッジとおおむね同じ位置に必ずなっている。従来技術のリガチャー３は、リードの締め付け領域１ｃのところに取り付けられる。リードの底１ｅは、通常軸対称的なマウスピース２の担持表面に対接している。リガチャー３はマウスピース２とリードとを包み込む枚葉３ａを有している。リガチャー３の締め付け力、したがってリード１上への押圧力は、二つの調節螺子３ｂにより印加される。リード１のねじれ対抗性および／または滑り抵抗性組み立て、とりわけ事前組立構造７、１９（図６ａ、６ｂ１４参照）のための特別なガイドは設けられていない。
【００５９】
図３によれば、リード１は先ず、図３に示したような、好ましくは軸対称に形成された、木製の受けブロック４に挿入される。全く形状フィッティングであるリード１のためのリガチャーが、一方において、受けブロック４の内側担持表面４ａがリード１の湾曲固定領域１ｃと相補的態様で形成されていることにより、この説明的態様において実現している。  他方において、制限壁４ｂおよび制限壁の内側麺に形成された内側側部表面４ｃは、リード１の平行制限表面１ｄの円錐曲面と適合している。表面（４ａ、４ｃ）の形成は、リードに対して点対点の応力が掛かってはいけないことを意味し、これはリード１の損耗を減少させる。受けブロック４のリードに面さない側である外側表面４ｄは、同様に適切に湾曲していてよい。組み立てに資するために、目印４ｆが、例えば受けブロック４の前側エッジ４ｅに位置する切り欠きまたは他の凹部を以て形成される。この目印４ｆは、音楽家に対し、この点でリード１が前端エッジ１ａを先にして受けブロックに挿入されるべきことを示す。リガチャー５のその他の部分（図４参照）に対して受けブロック４を固定するために、二つの貫通孔４ｇが受けブロック４の内側担持表面４ａにおいて好ましくは長手方向および／または横断方向軸に対し対称的に設けられる。
【００６０】
図４は、本発明によって構成された受けブロック５のためのリガチャーおよび／または締め付け具が示され、ここにおいて受けブロック４（図３参照）は、従来技術から最も変化したリガチャー５と組み合わされていてもよい。好ましい実施例において、締め付け具５は、例えば皮革またはプラスチック製のストラップ／ベルト５ａであって、その両端が螺子山５ｃを有する調節螺子５ｂおよび二つのガイド５ｄによって、マウスピース２の受けブロック４が面するのと反対の側（図８参照）において、互いに固定されているものからなる。図４によれば、ストラップ／ベルトは、二つの受け穴５ｅを有しており、これらは受けブロック４（図３参照）の貫通孔４ｇと合致するように位置付けられている。
【００６１】
図５は代替的な受けブロック４の形態であって屈曲ばね６を有し、その中を通って受けブロック内にリード１（図１参照）が異なった距離だけ押し込め得て、そのようにすることによって、依然として受けブロック４（図３参照）の限定壁に形状フィッティングの態様で取り囲まれるものを示す。このバネの形状は、受けブロックの外側表面４ｄの上に、少なくとも二つの溝、ノッチまたは他の凹み部６ａがその全長に亘ってまたはその部分に亘って一組として、受けブロックの対称軸にたいして平行にかつ対称的に加工形成されることによって達成される。バネ効果を強化するために、同様な形成が受けブロックの内側においても、例えば内側側部表面４ｃと内側担持表面４ａの間の切削角（図３参照）において実施される。リード１の製造時において発生する寸法的揺らぎへの受けブロック４の対応は、本発明のこの態様によって可能である。
【００６２】
図６ａは、形状フィッティングであり、および／または、同時に応力フィッティングであるリード１の側部表面１ｄとの接合のための、事前組立構造７の態様を示す。図示されているのは、リード１が挿入された受けブロック４であり、リードの平面である底面１ｅは観察者の方に面している。二つの弾性バネ弓８、これは一回以上屈曲または湾曲しているが、その両端の機械的な係止によって受けブロックの限定壁４ｂに固定されている。リード１の挿入に際しては、バネ弓８は波状に曲がり、バネ弓８とリードの側部表面１ｄとの間で接触点８ａが形成される。同時に、内側表面４ｃが、これは図においては見えないが、受けブロックの端部においてリードの側部表面１ｄと形状フィッティングの態様で定着する。リード１が、製造上の許容度の所為で幾分小さい場合でも、バネ弓の応力フィッティングのおかげで、やはり受けブロック４の所望の位置に固定される。
【００６３】
図６ｂは、上記に対して代替的な、少なくとも一つの応力フィッティングであるリード１の側部表面との接合を形成するための、受けブロック４を有する事前組立構造７の態様を示す。図示されているのは、リード１が挿入された受けブロックであり、同様にその平面である底面１ｅは観察者の方に面している。限定壁４ｂ自体は、リードとの間にいかなる形状フィッティングをも形成していない。その代わり、二つの弾性弓８が、好ましくは中央において、および／または回転するように装着されており、リード１の側部表面上に作用し好ましくは端部接触点８ａにおいて、機械的押圧力を印加する。この説明においては、弾性弓８は受けブロックの対称面および／または中央平面からみて限定壁の４ｂの前側に在る。リード１を挿入する際に、バネ弓８は曲率の減少を以て曲がる。リード１は受けブロック４内に、互いにテーパーをつけられたリードの二つの側部表面１ｄが、バネ弓８の回転軸として形成されている中央保持点９ｂに当たるまで、挿入されることができる。  この端部位置において、応力フィッティングに加えて、形状フィッティングが追加的に達成される。
【００６４】
図７は、図３の受けブロックを、外側から見た図であり、固定貫通孔４ｇには二つの固定ピン９が挿入されている。固定ピン９は受けブロック４を締め付け具５とそのための穴５ｅ（図４参照）で接続する、または接続可能とすることを意図したものである。
【００６５】
図８は、締め付け具５と受けブロック４との組み立て体であって、リード１を挿入する前のものを示す。ストラップ／ベルト５ａも同様に受け穴５ｅ（図３参照）を有し、この中に固定ピン９が挿入可能である。ストラップ／ベルトの貫通孔５ａには、螺子山は無い。  このことは、例えば多種類の材質による受けブロックを手雌してみるための、簡便で道具不要の受けブロック４の交換を可能としている。
【００６６】
図９は、本発明による組み立て体であって、リード１およびマウスピース２とともにスペーサー１２を有する構成１０に基づくものを示す。この実施形態においては、スペーサー１２は、締め付け具５とマウスピース２との間のいかなる接触も可能な限り小さく保ち理想的な場合はそれを完全に制限する、という機能を果たす。この機能のために、スペーサー１２はストラップ／ベルト５ａとマウスピース２との間に、マウスピース２の両側で（左側は図においては見えない）挿入されている。スペーサー１２自身は、これらとマウスピース２との間の接触領域１２ａが、点、および／または線の形となるように形成される。緊縮ベルト５ａの音響品質および応答特性への減衰効果が、これにより抑制される。  スペーサー１２はいかなる材質からでも作られ得るが、とりわけ、マウスピース２、および／または楽器の音響発生空間の材質と同じ材料で作られ得る。スペーサー１２の寸法を可能な限り小さくするために、受けブロック４は対応して大きくされ得て、緊縮ベルト５ａの横の空間はマウスピース２から可能な限り遠ざけられる。
【００６７】
図１０は、スペーサー装置を有するリガチャーの、図１１における長手方向軸を横切る方向の断面図を示す。子のスペーサー装置によって、接触点、接触線、および／または接触表面１２ａは上側部分１７のエッジまたは凸部として形成されている。上側部分１７は、リード１をマウスピース２の他の側に二つの固いアンカー１６を介して固定する、単純な固定具１５に連結されている。音楽の専門家に知られているいかなる装置も、とりわけ圧力板も、固定具１５として適切である。マウスピース２との接触は、リード１自身と接触領域１２ａとにおいてのみ、行われる。これを行うために、平らな接触面を介して、形状フィッティング状態で、アンカー１６は上側部材１７側に在る。例えば楽器のリードバルブにおいて見ることができるように、リード１は固定手段１６ｂによって装着された後は、もはや捩じれたり摺動したりすることはできない。締め付け力は上側部１７によって提供される。これはアンカー１６が連結されるベアリングアンカー１７ａからなる。締め付け力それ自体は、調節螺子としての、螺子溝が切られた螺子１８に連結される接触部１７ｂによって螺子山の作用により発生される。調節螺子と噛み合った内側螺子山はベアリングアンカー１７ａ内に位置する。螺子溝が切られた螺子１８が締められると、接触部１７ｂはマウスピース２に向かって移動し、マウスピース２に対して線状接触領域１２ａを形成する。
【００６８】
図１１は、図１０の態様の側面図を示す。ここに示されているのは、マウスピースのテーパーが付いた中央部分であり、スペーサー付きのリガチャーが、リード１をマウスピース２に対して、リードの締め付け領域１ｃにおいて結合するために、その周りに装着されている。マウスピース２上のリガチャーの最も形状フィッティングな保持を可能とするために、固定具１５と上側部１７とは、マウスピース２の長手方向軸を横切る方向に互いに傾くことが可能である。
【００６９】
図１２は、図１０に示す実施例から２つの点で異なる、進歩性のある実施例の、図１３における長手方向軸を横切る方向の断面図を示す。固定具１５は、全ての前記した結果としての利点を伴って、本発明の受けブロック１４で置き換えられている。さらに、ベアリングアンカー１７ａに接続するアンカー１６はいかなる平面保持表面１６ａも形成しない。平らな接触表面１６ａを欠くことが、図１３を見れば明瞭に理解される。
【００７０】
図１４は、本発明のスペーサー装置（１６、１７、１８）と受けブロック４（バネ弓８を有する事前組立構造７、図６ａ参照）とを有する、事前組立されたリガチャーの構造体１９を示す。本発明による方法に従って、リード１は受けブロック４の後部の所望の場所に挿入され、バネ弓８がリードの側部表面と接触する。バネ弓８によって同時に形成される応力フィッティングの故に、リード１はもはや位置を変化させることは無く；特に、受けブロック４から脱落することは不可能である。
【００７１】
図１５および図１６は、図１４に従った事前組立の構成１９に基づいた、マウスピース２を伴った組み立て体の見取り図を示す。この設計においては、マウスピース２の上での事前組立の組み立て体１９の接触は、リード１自身においてであり、接触表面１２ａは接触部１７ｂに限定されている。螺子が切られた螺子１８を締めることによって、リード１も固定され、捩じれ抵抗性であり、且つ摺動抵抗性の態様で、音楽演奏準備完了となる。
【００７２】
図１７は、図９に示す、マウスピース２を通過する点線に沿って取られた、組み立て体の断面図を示し、ここにおいてスペーサー１２と緊縮ベルト５ａとが表現の単純性のために省略されている。受けブロック４が、リード１をマウスピース２の上に押し付ける押し付け力１４に及ぼす影響が、ここで示されている。緊縮ベルト５ａがその曲線に沿って及ぼしている力を垂直成分と水平成分に分離すれば、垂直成分のみがリード１をマウスピース２へ押し付ける力に関与している。緊縮ベルト５ａがより垂直にリード１に対して位置すると、ベルト５ａの締め付け力の垂直成分がそれだけ一層大きくなる。本実施例においては、受けブロック４は非常に広い設計になっているので、緊縮ベルト５ａはマウスピース２に対して完全に垂直に通過するように位置させることができる。かくして、ベルト５ａの締め付け力１４は、対応する点において、捩じれ抵抗性で、および／または摺動抵抗性であるリード１の押圧に完全に使用することができ、音楽演奏中の滑りの危険性を減少させる。適切な寸法設定により、スペーサー装置、とりわけ上側部１７およびアンカー１６が、押し付け力１４を有利に生成する。
【００７３】
図１８は、固定ストラップ２０（図２０参照）のための、説明的実施例に従った長く伸びた帯２１ａを有する、一つの部品として構成されたクランプ２１を示す。クランプ２１、および／または帯２１ａは、好ましくはバネ力強化された圧延真鍮薄板、弾性的に屈曲可能なプラスチック、または比較的適する材質であって、平らにした状態で図１８に示すようなものである。この長く伸びた基本的形態は３つの部分に分けられる：中央部２１ｈと二つの端部２１ｆ，２１ｇであり、これらはそれ自身長く伸びた中央部２１ｈの両端と互いに連結している。中央部は領域２１ｆ、２１ｇにおける二つに比べて幅広になっており、リード１のマウスピース２上への固定具（一般に１５、図１０参照、および／または受けブロック４、図１３参照）を装着するのに適している。第一の端部２１ｆは（図１８における左側）は、結合要素２１ｃと結合するための、長穴２１ｂを形成する凹みが設けられている。結合要素は、帯２１ａの長さ方向延長部に比して幅広の形状として設計されており第二の部分２１ｇの端部に設けられる。この中央部２１ｈは、長く伸びた中央凹みまたは打ち抜き部が任意選択的に形成されており、これは特に重量を削減するために採用される。対抗する長く伸びたエッジは、中央の穴を規定するものであるが、懸架手段２１ｄを備えており、代表的態様において、打ち抜きまたはドリル開口の取り付け穴を有し、帯２１ａの長手方向延長の中央に配置されている。中央部２１ｈの長手方向軸２１ｅに対して、二つの端部２１ｆ、２１ｇは、傾いた配置で伸びており、長手方向軸２１ｅに対して５〜４０度の角度、図においては１０度、で形成されている。この長手方向曲線の疑似曲がり、曲げ、または曲線のおかげで、前記帯が曲げによって、自己の構造軸の周りに捩じれて、結合要素２１ｃが長穴２１ｂ内に挿入されたときに、帯２１ａまたはクランプ２１は、マウスピース２の円錐形曲面に適合することができる。結合要素２１ｃが構造軸の周りに捩じれることは、前記の広幅化のゆえに、必要なことである。
【００７４】
図１９は、図１８においては平面的に置かれていたクランプ２１の、帯２１ａが
曲げられて、円形形状に自己収納された状態を示す。ほぼ円形の断面形状を有するマウスピース２は、円い形にほぼ曲がったこの帯２１ａまたはクランプ２１によって、完全に取り囲まれることができる。幅広にされた結合要素２１ｃが、長穴２１ｂ内に挿入される。  この結合を解除するためには、帯２１ａは、結合要素２１ｃまたはその拡幅部が、長穴の長手方向側部に平行または少なくとも傾いた角度となって、各腹部を有する結合要素２１ｃが長穴２１ｂを通って契合が解かれるように、弾性的可逆的態様でその長手方向軸周りに捩じられなければならない。結合要素２１ｃの長穴２１ｂ内での長手方向における相対位置に依存して、クランプ２１は異なった寸法のマウスピース２を包含することができる。図１９によれば、クランプ２１に作用してこれを調節する調節装置または他の手段は存在しないので、結合要素２１ｃは、バネ強化された弾性的に可逆的な材料の特性および結果として生じる再設定力に起因して、長穴２１ｂの最も外側の端の位置を想定し、ここにおいては外周が帯２１ａによって包含することのできる最大のものである。
【００７５】
図２０は、この場合（図１９参照）クランプ２１と、異なった寸法の升ピース２を内包する、取り囲むまたは包含するために、長穴２１ｂ内の結合要素２１ｃの移動および／または調節のための適合手段を有する、固定ストラップ２０を示す。異なった寸法のマウスピース２に対応するためのこれらの手段は、例えば、調節螺子２２および調節螺子と接合する２つのナット２３ａ、２３ｂを含む。２つのナット２３ａ、２３ｂのうちの一つは、第一のクランプ端部２１ｆに、溶接、リベット止め、接着または他の形式の着脱可能なまたは取り外し不可能な、結合過程、そして好ましくは帯の長穴２１ｂにおいて終了する可能な端部において固定されている。もう一つの対応するそれぞれのナット２３ａまたは２３ｂは、第二のクランプの端部２１ｇに結合され、好ましくは結合要素２１ｃに形成された拡幅された帯２１ａの端部において取り付けられる。調節螺子２２の螺子山は螺子の長手方向において二つの連続する部分に分けられており、第一の螺子山部２２ａと第二の螺子山部２２ｂ、二つのセクション２２ａと２２ｂにおいて回転方向が互いに反対方向であり、すなわち、互いに反対方向に向いている。例えば第一の螺子山部２２ａの回転方向が右螺子であるとすれば、第二の螺子山部の螺子は左螺子に形成される。二つの螺子山部２２ａおよび２２ｂは互いに離隔している、または例えば半径方向増径部２２ｃによって、互いに区別されている。調節螺子２２は、摘み２２ｄにおよって操作されることができる。
【００７６】
図２１は、固定ストラップ２０の模式的な前面、長手方向に延びた調節螺子２２、クランプ２１または帯２１ａがマウスピース２の直径に適合することができることの動作原理を示す図を表示している。調節螺子２２の摘み２２ｄを時計回りに回転したならば、これに連結している二つのナット２３ａおよび２３ｂは、調節螺子２２の反対の螺子方向によって、二つのナット２３ａと２３ｂとの間の距離が大きくなるような、互いに反対の方向への移動運動を起こす。このことと同時に、受けブロック４、ベアリングアンカー１７ａおよび任意選択的な部品を含むリードを固定する装置１５の締め付けが増加する。図示した矢印は、この締め付け過程２４を表している。二つのナット２３ａ、２３ｂの間の距離の増加に起因して、帯２１ａが取り囲むことのできる直径が減少する。かくして、締め付け動作２４が開始し、対応する緩衝手段２１ｄ上（図１９／２０参照）の固定具１５（一般には１５、図１０参照、および／または受けブロック４、図１３参照）に装着されたリード１がマウスピース２に対して締め付けられることができる。
【００７７】
図２２は、固定手段２５または螺子によって帯２１ａの緩衝手段２１ｄ（図１９／２０参照）上に装着された本発明による受けブロック４（図３参照）として設計された固定機構を示している。ベアリングアンカー１７ａは受けブロック４の反対側に位置している。  調節螺子２２と長穴２１ｂ内に位置する結合要素２１ｃによって特別に設定された閉鎖機構により、接触部１７ｂ（図１５参照）をなしに済ますことができる。調節螺子２２が摘み２２ｄによって起動され、締め付け動作２４（図２１参照）が開始すると、図２２に示すように、金属板帯２１ａの結合要素２１ｃが、長穴２１ｂ（図１９参照）内を長穴の端の方向へ、これは帯２１ａの端から最も遠いところ、または、中央部２１ｈに最も近いところ、であるが、へ移動する。特に好ましくは、この構成は、締め付け動作２４（図２１参照）を開始する前に、リード１が受けブロック４（図６ａ、６ｂ）内に、例えば金属またはプラスチック製のばね弓８によって固定されるという、事前組み立ての構成１９（図１４参照）として、固定ストラップ２０と受けブロック４において実現されてよい。音楽家は、固定ストラップをマウスピース上に滑らせる際に両手が使用でき、リード１の先端エッジ１ａをマウスピース２の先端エッジ２ｂに整列させるだけでよいので、マウスピースへの装着プロセスは、これによって大幅に利益を得る。材質の同質性を得るために、受けブロック４とベアリングアンカー１７ａは、マウスピース２と同一の材質で製造される。  多くのマウスピース２は、エボナイト、天然ゴム、製である。そこで、リガチャーの、マウスピース２に装着した際にマウスピース２と接触面を形成する全ての要素を、エボナイトで製造することが適切である。すべての異質な材質、たとえば真鍮または鉄、はかくしてマウスピース２からの隔離が保たれる。
【符号の説明】
【００７８】
１     リード
１ａ   リードの前端エッジ
１ｂ   リードの振動領域
１ｃ   リードの締め付け領域
１ｄ   リードの側部表面
１ｅ   リードの底面
１ｆ   リードの対称軸または長手方向軸
２     マウスピース
２ａ   楽器本体との接続部
２ｂ   マウスピースの前端エッジ
２ｃ   マウスピースの長手方向軸
２ｄ   マウスピースの担持表面
３     従来のリガチャー
３ａ   リガチャーの保持シート
３ｂ   リガチャーの調節螺子
４     受けブロック
４ａ   受けブロックの内側担持表面
４ｂ   限定壁
４ｃ   限定壁の内側側部表面
４ｄ   受けブロックの外側
４ｅ   受けブロックの先端エッジ
４ｆ   挿入目印
４ｇ   ロック穴
５     締め付け具
５ａ   緊縮ストラップ／緊縮ベルト
５ｂ   調節螺子
５ｃ   調節螺子のねじ山
５ｄ   調節螺子のガイド
５ｅ   ロックピン受け穴
６     受けブロック用屈曲ばね
６ａ   受けブロックの外側の溝／ノッチ
６ｂ   受けブロックの内側の溝／ノッチ
７     受けブロックを有する事前組み立て構造
８     ばね弓／弾性ばね
８ａ   ばね弓とリードとの間の４点支持点
８ｂ   ばね弓と受けブロックとの間の支持点
９     ロックピン／ロック螺子
１０   締め付け具内の受けブロックの配置
１２   スペーサー
１２ａ スペーサーとマウスピースの間の接触領域
１４   リガチャーからリード上への力
１５   リード／圧力プレートの一般的な固定具
１６   コネクター／アンカー
１６ａ 上側部材との平らな接続
１６ｂ 固定手段
１７   上側部分
１７ａ ベアリングアンカー
１７ｂ 接触部
１８   調節手段／螺子溝つき螺子
１９   受けブロックおよびスペーサー手段を有する事前組み立て構造
２０   固定ストラップ
２１   クランプ／弓
２１ａ 帯
２１ｂ 長穴
２１ｃ 結合要素
２１ｄ リード固定具または受けブロック用懸架手段
２１ｅ クランプの長手方向軸
２１ｆ クランプまたはクランプ板の第１の端部
２１ｇ クランプまたはクランプ板の第２の端部
２１ｈ クランプまたはクランプ板の中央部
２２   調節螺子
２２ａ 第一の螺子山部
２２ｂ 第二の螺子山部
２２ｃ 半径方向増径部
２２ｄ 摘み
２３ａ 第一螺子山部ナット
２３ｂ 第二螺子山部ナット
２４   締め付け動作
２５   固定手段
【図１】
2020502594.tif 000003
【図２】
2020502594.tif 000004
【図３】
2020502594.tif 000005
【図４】
2020502594.tif 000006
【図５】
2020502594.tif 000007
【図６】
2020502594.tif 000008
【図７】
2020502594.tif 000009
【図８】
2020502594.tif 000010
【図９】
2020502594.tif 000011
【図１０】
2020502594.tif 000012
【図１１】
2020502594.tif 000013
【図１２】
2020502594.tif 000014
【図１３】
2020502594.tif 000015
【図１４】
2020502594.tif 000016
【図１５】
2020502594.tif 000017
【図１６】
2020502594.tif 000018
【図１７】
2020502594.tif 000019
【図１８】
2020502594.tif 000020
【図１９】
2020502594.tif 000021
【図２０】
2020502594.tif 000022
【図２１】
2020502594.tif 000023
【図２２】
2020502594.tif 000024
【国際調査報告】
2020502594.tif 000025
2020502594.tif 000026
2020502594.tif 000027
2020502594.tif 000028
2020502594.tif 000029
2020502594.tif 000030
2020502594.tif 000031
2020502594.tif 000032
2020502594.tif 000033
2020502594.tif 000034